(57)【要約】【課題】太陽電池パネルの設置コストを低減すると共に、太陽電池パネル設置用の架台におけるパネル取付面の平面性を確保する。【解決手段】太陽電池パネル設置用の架台１０は、複数の母屋２０と、一対の母屋受材１６、１８と、母屋受材１６を支持する一対の支柱１２と、母屋受材１８を支持する一対の支柱１４と、母屋２０と母屋受材１６とを接続する母屋取付金具２２と、母屋２０と母屋受材１８とを接続する母屋取付金具２４とを備えている。一方の支柱１２と母屋受材１６との結合部では、ボルトの通し孔が鉛直方向に長い長孔と丸孔とであり、他方の支柱１２と母屋受材１６との結合部では、ボルトの通し孔が水平方向に長い長孔と丸孔とである。支柱１４と母屋受材１８との結合部も同様である。母屋取付金具２２と母屋受材１６との結合部では、ボルトの通し孔が長孔と該長孔と直交する方向に長い長孔とである。【選択図】図１
2014105467.tif 000002
【特許請求の範囲】
【請求項１】
複数の太陽電池パネルが水平面に対して傾斜した状態で複数行複数列に並べて設置される架台であって、
各列の複数の太陽電池パネルが取り付けられる長尺部材であり、複数列に並べて配された複数のパネル取付部材と、
前記複数のパネル取付部材を受ける長尺部材であり、二行に並べて配された第一及び第二の受材と、
前記パネル取付部材と前記第一の受材とにボルトで固定されることにより、これらを接続する複数の第一の接続部材と、
前記パネル取付部材と前記第二の受材とにボルトで固定されることにより、これらを接続する複数の第二の接続部材と、
前記第一の受材の長手方向に互いに離れた箇所にボルトで固定され、前記第一の受材を支持する一対の第一の支柱と、
前記第二の受材の長手方向に互いに離れた箇所にボルトで固定され、前記第二の受材を支持する一対の第二の支柱とを備え、
前記一対の第一の支柱の一方と前記第一の受材との何れかには、これらを固定するボルトが通る鉛直方向に長い長孔が形成され、前記一対の第一の支柱の他方と前記第一の受材との何れかには、これらを固定するボルトが通る水平方向に長い長孔が形成され、
前記一対の第二の支柱の一方と前記第二の受材との何れかには、これらを固定するボルトが通る鉛直方向に長い長孔が形成され、前記一対の第二の支柱の他方と前記第二の受材との何れかには、これらを固定するボルトが通る水平方向に長い長孔が形成され、
前記第一の受材と前記第一の接続部材との少なくとも一方には、これらを固定するボルトが通る、前記パネル取付部材の長手方向に対して交差する方向に長い長孔が形成され、前記第一の接続部材と前記パネル取付部材とには、これらを固定するボルトが通る位置決め孔又は長孔が形成され、
前記第二の受材と前記第二の接続部材とには、これらを固定するボルトが通る位置決め孔が形成され、前記第二の接続部材と前記パネル取付部材とには、これらを固定するボルトが通る位置決め孔又は長孔が形成されている太陽電池パネル設置用の架台。
【請求項２】
前記第一の受材と前記第一の接続部材との一方には、これらを固定するボルトが通る、前記パネル取付部材の長手方向に長い長孔が形成され、該長孔と直交する方向に長い長孔が、前記第一の受材と前記第一の接続部材との他方に形成されている請求項１に記載の太陽電池パネル設置用の架台。
【請求項３】
前記第一の接続部材又は前記第二の接続部材と前記パネル取付部材との何れかには、これらを固定するボルトが通る垂直方向に長い長孔が形成されている請求項１又は請求項２に記載の太陽電池パネル設置用の架台。
【発明の詳細な説明】
【技術分野】
【０００１】
本発明は、太陽電池パネル設置用の架台に関する。
【背景技術】
【０００２】
メガソーラー発電所等の用地に複数の太陽電池パネルを並べて設置する際には、所定の角度で傾斜したパネル取付面を構成する架台を用地に設置し、該パネル取付面に複数の太陽電池パネルを並べて取り付ける（例えば、特許文献１、２参照）。特許文献１に記載の架台は、高さが異なる複数種類の逆Ｔ字状のブロックと、太陽電池パネルを取り付けるフレームとを、上記パネル取付面が構成されるように組み立てたものである。また、特許文献２に記載の架台は、傾斜面を備えるコンクリートブロックと、太陽電池パネルを取り付けるフレームとを、上記パネル取付面が構成されるように組み立てたものである。
【先行技術文献】
【特許文献】
【０００３】
【特許文献１】実登第３１６５８８４号公報
【特許文献２】特開２００７−３５８４９号公報
【発明の概要】
【発明が解決しようとする課題】
【０００４】
太陽光発電の単価を下げるために、太陽電池パネルの設置コストを低減することが要請されているが、特許文献１、２に記載の太陽電池パネル設置用の架台は、逆Ｔ字状ブロックや傾斜面を備えるコンクリートブロックの製作が必要となることから、設置コストの低減が難しくなる。また、太陽電池パネルの架台への取り付けに支障が生じないように上記パネル取付面の平面性を確保する必要があるため、上記ブロックの寸法精度や設置精度を高めなければならず、設置コストの低減がより一層難しくなる。
【０００５】
本発明は、上記事情に鑑みてなされたものであり、太陽電池パネルの設置コストを低減すると共に、太陽電池パネル設置用の架台におけるパネル取付面の平面性を確保することを課題とするものである。
【課題を解決するための手段】
【０００６】
上記課題を解決するために、本発明に係る太陽電池パネル設置用の架台は、複数の太陽電池パネルが水平面に対して傾斜した状態で複数行複数列に並べて設置される架台であって、各列の複数の太陽電池パネルが取り付けられる長尺部材であり、複数列に並べて配された複数のパネル取付部材と、前記複数のパネル取付部材を受ける長尺部材であり、二行に並べて配された第一及び第二の受材と、前記パネル取付部材と前記第一の受材とにボルトで固定されることにより、これらを接続する複数の第一の接続部材と、前記パネル取付部材と前記第二の受材とにボルトで固定されることにより、これらを接続する複数の第二の接続部材と、前記第一の受材の長手方向に互いに離れた箇所にボルトで固定され、前記第一の受材を支持する一対の第一の支柱と、前記第二の受材の長手方向に互いに離れた箇所にボルトで固定され、前記第二の受材を支持する一対の第二の支柱とを備え、前記一対の第一の支柱の一方と前記第一の受材との何れかには、これらを固定するボルトが通る鉛直方向に長い長孔が形成され、前記一対の第一の支柱の他方と前記第一の受材との何れかには、これらを固定するボルトが通る水平方向に長い長孔が形成され、前記一対の第二の支柱の一方と前記第二の受材との何れかには、これらを固定するボルトが通る鉛直方向に長い長孔が形成され、前記一対の第二の支柱の他方と前記第二の受材との何れかには、これらを固定するボルトが通る水平方向に長い長孔が形成され、前記第一の受材と前記第一の接続部材との少なくとも一方には、これらを固定するボルトが通る、前記パネル取付部材の長手方向に対して交差する方向に長い長孔が形成され、前記第一の接続部材と前記パネル取付部材とには、これらを固定するボルトが通る位置決め孔又は長孔が形成され、前記第二の受材と前記第二の接続部材とには、これらを固定するボルトが通る位置決め孔が形成され、前記第二の接続部材と前記パネル取付部材とには、これらを固定するボルトが通る位置決め孔又は長孔が形成されている。
【０００７】
前記太陽電池パネル設置用の架台において、前記第一の受材と前記第一の接続部材との一方には、これらを固定するボルトが通る、前記パネル取付部材の長手方向に長い長孔が形成され、該長孔と直交する方向に長い長孔が、前記第一の受材と前記第一の接続部材との他方に形成されてもよい。
【０００８】
また、前記太陽電池パネル設置用の架台において、前記第一の接続部材又は前記第二の接続部材と前記パネル取付部材との一方には、これらを固定するボルトが通る垂直方向に長い長孔が形成されてもよい。
【発明の効果】
【０００９】
本発明によれば、太陽電池パネルの設置コストを低減すると共に、太陽電池パネル設置用の架台におけるパネル取付面の平面性を確保することができる。
【図面の簡単な説明】
【００１０】
【図１】一実施形態に係る太陽電池パネル設置用の架台を示す斜視図である。
【図２】架台を行方向右側から見た場合の立断面図である。
【図３】列方向下側の支柱と母屋受材との結合部、及び該母屋受材と母屋との結合部を拡大して行方向右側から示す立断面図である。
【図４】図３の４−４断面図（平断面図）である。
【図５】列方向上側の支柱と母屋受材との結合部、及び、該母屋受材と母屋との結合部を拡大して行方向右側から示す立断面図である。
【図６】列方向下側の支柱と母屋受材との結合部を拡大して列方向下側から示す立面図である。
【図７】列方向上側の支柱と母屋受材との結合部を拡大して列方向上側から示す立面図である。
【図８】列方向下側の母屋受材と母屋との結合部を示す平面図である。
【図９】列方向上側の母屋受材と母屋との結合部を示す平面図である。
【図１０】母屋受材の調整機構を行方向右側から示す立面図である。
【図１１】調整機構を列方向下側から示す立断面図である。
【図１２】母屋取付金具の変形例を示す立断面図である。
【発明を実施するための形態】
【００１１】
以下、本発明の一実施形態を、図面を参照しながら説明する。図１は、一実施形態に係る複数の太陽電池パネル１の設置用の架台１０を示す斜視図である。なお、この図では、架台１０の全体を示すために、太陽電池パネル１を一点鎖線で示している。また、図２は、架台１０を図１中の矢印Ｂ方向の手前側（後述の行方向右側）から見た場合の立断面図である。
【００１２】
これらの図に示すように、複数の太陽電池パネル１は、水平面に対して傾斜した状態で複数行複数列に並べて設置されている。なお、以下の説明では、平面視において、各列の太陽電池パネル１の並び方向（図１中の矢印Ａ方向）を列方向、各行の太陽電池パネル１の並び方向（図１中の矢印Ｂ方向）を行方向と称する。また、傾斜した太陽電池パネル１の高さが高い側を列方向上側、その反対側を列方向下側と称し、列方向下側から見た場合の太陽電池パネル１の左側を行方向左側、その反対側を行方向右側と称する。
【００１３】
複数の太陽電池パネル１が設置される架台１０は、各２本の支柱１２、１４と、２本の母屋受材１６、１８と、太陽電池パネル１の列数の２倍の本数の母屋２０と、夫々母屋２０の本数と同数の母屋取付金具２２、２４とを備えている。各２本の支柱１２、１４は、鋼製の角パイプであり、上部が地面から鉛直上方に突出するように、地盤に打設されている。各２本の支柱１２、１４は、支柱１２同士、支柱１４同士が行方向に並び、支柱１２と支柱１４とが列方向に並ぶように配されている。また、各２本の支柱１２、１４は、支柱１２同士、支柱１４同士の地上部分の長さが等しく、支柱１４は支柱１２よりも地上部分が長くなっている。
【００１４】
母屋受材１６、１８は、断面形状がチャンネル型の鋼材であり、母屋受材１６は２本の支柱１２の上部にボルトで結合され、母屋受材１８は２本の支柱１４の上部にボルトで結合されている。また、母屋受材１６、１８は、行方向に水平に延び、互いに平行、且つ、母屋受材１８が母屋受材１６よりも高い位置に配されるように、２本の支柱１２又は２本の支柱１４に支持されている。
【００１５】
複数の母屋２０は、断面形状がＬ型の鋼材であり、夫々列方向に延び、互いに平行になるように、母屋受材１６、１８に支持されている。また、複数の母屋２０は、各列の太陽電池パネル１毎に対で設けられており、各太陽電池パネル１の裏面が、２本の母屋２０にボルトで結合されている。
【００１６】
複数の母屋取付金具２２、２４は、鋼製のＬ字状アングル材であり、母屋２０毎に対で設けられており、母屋取付金具２２は、母屋２０の列方向下側を母屋受材１６に接続するのに用いられ、母屋取付金具２４は、母屋２０の列方向上側を母屋受材１８に接続するのに用いられている。
【００１７】
図３は、支柱１２と母屋受材１６との結合部、及び母屋受材１６と母屋２０との結合部を拡大して行方向から示す立断面図であり、図４は、図３の４−４断面図（平断面図）である。これらの図に示すように、角パイプである支柱１２は、平面視にて１組の対辺が列方向に対向するように配されており、この１組の対辺を構成する一対の壁部１２Ａの上部には、ボルトＢ１の通し孔（丸孔）が形成されている。なお、ボルトＢ１及び他のボルトの通し孔（丸孔）の直径は、各ボルトを通すことができるように各ボルトの直径よりも僅かに大きく設定されている。即ち、ボルトＢ１の通し孔である丸孔は、該丸孔が形成されている部材とボルトとの相対位置を決める位置決め孔である。
【００１８】
断面形状がチャンネル型の母屋受材１６は、支柱１２よりも列方向下側に、一対のフランジ１６Ｆがウェブ１６Ｗから列方向下側に張り出すように配されている。この母屋受材１６のウェブ１６Ｗが、列方向下側の壁部１２Ａの上部に、ボルトＢ１により結合されている。
【００１９】
図３に示すように、Ｌ字状のアングルである母屋取付金具２２は、一方の片である横片２２Ａが母屋受材１６の上側のフランジ１６ＦにボルトＢ２で結合され、他方の片である縦片２２Ｂが母屋２０にボルトＢ３で結合される。母屋取付金具２２は、縦片２２Ｂが列方向に対して平行になるように配されている。
【００２０】
断面形状がＬ字状の母屋２０は、一方の片である縦片２０Ａが母屋取付金具２２の縦片２２ＢにボルトＢ３で結合され、他方の片である横片２０Ｂが太陽電池パネル１の裏面にボルトＢ４で結合されている。母屋２０の縦片２０Ａと母屋取付金具２２の縦片２２ＢとにはボルトＢ３の通し孔（丸孔）が形成されており、母屋取付金具２２を母屋２０に対して相対的にボルトＢ３の周りに回転させることで両者の取付角度を調整することが可能になっている。
【００２１】
図５は、支柱１４と母屋受材１８との結合部、及び、母屋受材１８と母屋２０との結合部を拡大して行方向右側から示す立断面図である。この図に示すように、角パイプである支柱１４は、平面視にて１組の対辺が列方向に対向するように配されており、この１組の対辺を構成する一対の壁部１４Ａの上部には、ボルトＢ５の通し孔（丸孔）が形成されている。
【００２２】
断面形状がチャンネル型の母屋受材１８は、支柱１４よりも列方向上側に、一対のフランジ１８Ｆがウェブ１８Ｗから列方向上側に張り出すように配されている。この母屋受材１８のウェブ１８Ｗが、列方向上側の壁部１４Ａの上部に、ボルトＢ５により結合されている。
【００２３】
Ｌ字状のアングルである母屋取付金具２４は、一方の片である横片２４Ａが母屋受材１８の上側のフランジ１８ＦにボルトＢ６で結合され、他方の片である縦片２４Ｂが母屋２０にボルトＢ７で結合される。母屋取付金具２４は、縦片２４Ｂが列方向に対して平行になるように配されている。この縦片２４Ｂに、母屋２０の縦片２０ＡがボルトＢ７で結合されている。母屋２０の縦片２０Ａと母屋取付金具２４の縦片２４ＢとにはボルトＢ７の通し孔（丸孔）が形成されており、母屋取付金具２４を母屋２０に対して相対的にボルトＢ７の周りに回転させることで両者の取付角度を調整することが可能になっている。
【００２４】
図６は、支柱１２と母屋受材１６との結合部を拡大して列方向下側から示す立面図である。この図に示すように、行方向左側の支柱１２と母屋受材１６との結合部では、母屋受材１６のウェブ１６Ｗに、鉛直方向に長い長孔１６Ａが形成されており、該長孔１６Ａと支柱１２の通し孔（丸孔）とにボルトＢ１が通されている。また、行方向右側の支柱１２と母屋受材１６との結合部では、母屋受材１６のウェブ１６Ｗに、水平方向に長い長孔１６Ｂが形成されており、該長孔１６Ｂと支柱１２の通し孔（丸孔）とにボルトＢ１が通されている。長孔１６Ａ、１６Ｂや後述の他の長孔の幅（両側の半円の直径）は、ボルトＢ１や他のボルトの通し孔の直径と同一であり、各ボルトを通すことができるように各ボルトの直径よりも僅かに大きく設定されている。また、長孔１６Ａ、１６Ｂや他の長孔の長さ（両側の半円の中心間の寸法）は、各長孔の幅の数倍に設定されており、各長孔と各ボルトとの長孔の長さ方向についての相対位置の調整が可能になっている。
【００２５】
行方向左側の支柱１２と母屋受材１６との結合部では、長孔１６Ａが鉛直方向に長くなっていることにより、当該支柱１２と母屋受材１６との高さ方向についての相対位置の調整が可能である。また、行方向右側の支柱１２と母屋受材１６との結合部では、長孔１６Ａが水平方向に長くなっていることにより、当該支柱１２と母屋受材１６との水平方向についての相対位置の調整が可能である。このため、左右の支柱１２を地盤に打設する際に、左右の支柱１２の相対高さに誤差が生じたり、左右の支柱１２の平行度に誤差が生じたりした場合でも、行方向左側の結合部において母屋受材１６の高さを調整し、行方向右側の結合部において母屋受材１６の水平方向の位置を調整することにより、母屋受材１６の水平度を確保することができる。
【００２６】
図７は、支柱１４と母屋受材１８との結合部を拡大して列方向上側から示す立面図である。この図に示すように、支柱１４と母屋受材１８との結合部は、支柱１２と母屋受材１６との結合部と同様の構成である。行方向左側（図中右側）の支柱１４と母屋受材１８との結合部では、母屋受材１８のウェブ１８Ｗに、鉛直方向に長い長孔１８Ａが形成されており、該長孔１８Ａと支柱１４の通し孔（丸孔）とにボルトＢ５が通されている。また、行方向右側（図中左側）の支柱１４と母屋受材１８との結合部では、母屋受材１８のウェブ１８Ｗに、水平方向に長い長孔１８Ｂが形成されており、該長孔１８Ｂと支柱１４の通し孔（丸孔）とにボルトＢ５が通されている。
【００２７】
このため、支柱１２と母屋受材１６と同様に、左右の支柱１４を地盤に打設する際に、左右の支柱１４の相対高さに誤差が生じたり、左右の支柱１４の平行度に誤差が生じたりした場合でも、行方向左側の結合部において母屋受材１８の高さを調整し、行方向右側の結合部において母屋受材１８の水平方向の位置を調整することにより、母屋受材１８の水平度を確保することができる。
【００２８】
図８は、母屋受材１６と母屋２０との結合部を示す平面図である。この図に示すように、母屋受材１６と母屋２０との結合部では、母屋受材１６の上側のフランジ１６Ｆに、行方向（母屋受材１６の長手方向）に長い長孔１６Ｃが形成され、母屋取付金具２２の横片２２Ａに、列方向（母屋２０の長手方向）に長い長孔２２Ｃが形成されており、この長孔１６Ｃ、２２ＣにボルトＢ２が通されている。
【００２９】
また、図９は、母屋受材１８と母屋２０との結合部を示す平面図である。この図に示すように、ボルトＢ６が、母屋取付金具２４の横片２４Ａに形成された通し孔（丸穴）と、母屋受材１８の上側のフランジ１８Ｆに形成された通し孔（丸孔）とに通されていることにより、母屋取付金具２４の母屋受材１８に対する相対位置が決まる。これに対して、母屋２０の列方向下側では、ボルトＢ２が行方向に長い長孔１６Ｃと列方向に長い長孔２２Ｃに通されていることにより、母屋取付金具２２の母屋受材１６に対する行方向及び列方向の相対位置が調整可能である（図８参照）。これによって、母屋２０を列方向上側のボルトＢ６を支点として回動させることで、各母屋２０の列方向に対する平行度を調整したり、複数の母屋２０の相互の平行度を調整したりすることが可能である。
【００３０】
以下、架台１０及び太陽電池パネル１を設置する手順について説明する。まず、各２本の支柱１２、１４を、杭打ち機により用地の地盤に鉛直に打設する。この工程では、支柱１２同士、支柱１４同士の地上部分の長さが等しく、支柱１４の地上部分の長さが支柱１２の地上部分の長さよりも大きくなるようにする。
【００３１】
ここで、支柱１２、１４の打設作業は、支柱１２、１４の地上部分の長さや鉛直度や相互の平行度の誤差が基準範囲内に収まるように実施する。そして、それらの誤差を吸収するように、母屋受材１６、１８、母屋取付金具２２、２４、及び母屋２０を、それらの姿勢や相対位置を微調整しながら組み立てる。
【００３２】
まず、母屋受材１６を２本の支柱１２の上部にボルトＢ１で結合する（図６参照）。本工程では、左右のボルトＢ１を緩めた状態で、母屋受材１６の水平度を調整してから、行方向左側の長孔１６Ａを通るボルトＢ１を締める。その後、行方向右側の長孔１６Ｂを通るボルトＢ１を締める。これにより、２本の支柱１２の設置誤差にかかわらず、母屋受材１６の水平度が確保される。
【００３３】
次に、母屋受材１８を２本の支柱１４の上部にボルトＢ５で結合する（図７参照）。本工程では、母屋受材１６と２本の支柱１２とを結合するのと同様に、左右のボルトＢ５を緩めた状態で、母屋受材１８の水平度を調整してから、行方左側の長孔１８Ａを通るボルトＢ１を締める。その後、行方向右側の長孔１８Ｂを通るボルトＢ１を締める。これにより、２本の支柱１４の設置誤差にかかわらず、母屋受材１８の水平度が確保される。
【００３４】
次に、母屋２０を母屋取付金具２２、２４とボルトで母屋受材１６、１８に結合する（図３、図５、図８及び図９参照）。本工程では、ボルトＢ２、Ｂ３、Ｂ６、Ｂ７を緩めた状態で、各母屋２０の列方向に対する平行度ならびに複数の母屋２０の相互の平行度を調整してから、ボルトＢ２を締めて母屋取付金具２２を母屋受材１６に固定する。そして、ボルトＢ６を締めて母屋取付金具２４を母屋受材１８に固定し、ボルトＢ３，Ｂ７を締めて母屋取付金具２２、２４を母屋２０に固定する。これにより、各２本の支柱１２、１４の設置誤差にかかわらず、複数の太陽電池パネル１の設置面の平面度が確保される。
【００３５】
最後に、複数の太陽電池パネル１を列方向及び行方向に並べて架台１０上に設置して、各太陽電池パネル１を４個のボルト４で２本の母屋２０に固定する（図１、図３及び図４参照）。
【００３６】
以上説明したように、本実施形態に係る太陽電池パネル設置用の架台１０によれば、用地に打設した各２本の支柱１２、１４、母屋受材１６、１８、母屋取付金具２２、２４、及び母屋２０の相対位置を調整しながら組み立てることにより、２本の支柱１２、１４の設置誤差にかからわず、複数の太陽電池パネル１の設置面の平面度を確保することができる。これにより、高精度なコンクリートブロックの製作や、支柱の高精度な設置等の高コストで手間がかかる工程を経ずに、複数の太陽電池パネル１を支障なく架台１０上に設置することができる。従って、設置コストを低減することができ、発電単価を低減することができる。
【００３７】
また、母屋受材１６、１８を支柱１２、１４に固定する際と、母屋２０を母屋取付金具２２、２４で母屋受材１６、１８に固定する際との２段階で、支柱１２、１４の設置誤差を吸収することができる。即ち、母屋受材１６、１８を支柱１２、１４に固定する作業の完了後に、母屋２０を母屋取付金具２２、２４で母屋受材１６、１８に固定する作業を実施すればよく、母屋受材１６、１８の仮止め等の手間のかかる作業を不要にできる。
【００３８】
以下、他の実施例について説明する。
図１０は、母屋受材１６の調整機構３０を行方向右側から示す立断面図であり、図１１は、該調整機構３０を列方向下側から示す立面図である。これらの図に示すように、調整機構３０は、Ｌ型のボルト３２と、このボルト３２のネジ部３２Ａに螺合した一対のナット３４、３６とを備えている。支柱１２の列方向下側の壁部１２Ａには、ボルト通し孔（丸孔）が形成されており、該ボルト通し孔には、ボルト３２におけるネジ部３２Ａの反対側の端部が通されている。該ボルト通し孔は、母屋受材１６より下に配され、母屋受材１６の下側のフランジ１６Ｆには、ボルト通し孔（丸孔）が形成されており、該ボルト通し孔には、ボルト３２のネジ部３２Ａが通されている。
【００３９】
上側のナット３６と下側のナット３４とは、母屋受材１６の下側のフランジ１６Ｆを挟むように配されている。ナット３４、３６で下側のフランジ１６Ｆを締付けることにより、該フランジ１６Ｆがボルト３２に固定される。
【００４０】
母屋受材１６の調整時には、上側のナット３６をネジ部３２Ａから外すか下側のフランジ１６Ｆから離した状態にすれば、母屋受材１６はボルト３２により仮受けされる。そして、ナット３４を上下させることにより母屋受材１６の高さ調整をすることができる。なお、調整機構３０は、母屋受材１８（図５等参照）の高さ調整機構及び仮受け機構としても採用できる。
【００４１】
図１２は、母屋取付金具２２の変形例を示す立断面図である。この図に示すように、母屋取付金具２２には、ボルトＢ３が通される鉛直方向に長い長孔２２Ｄが形成されている。これにより、母屋２０の母屋取付金具２２に対する相対高さが調整可能であり、母屋２０の水平面に対する傾斜角度が調整可能である。なお、母屋取付金具２４のボルトＢ７の通し孔を鉛直方向又は水平方向に長い長孔にしてもよい。
【００４２】
なお、上述の実施形態は、本発明の理解を容易にするためのものであり、本発明を限定するものではない。本発明はその趣旨を逸脱することなく、変更、改良され得ると共に本発明にはその等価物が含まれることは勿論である。例えば、上述の実施形態では、支柱１２、１４を用地の地盤に打設したが必須ではなく、支柱１２、１４をコンクリート基礎に支持させてもよい。
【００４３】
また、支柱１２と母屋受材１６とを固定するボルトＢ１を通す長孔１６Ａ、１６Ｂを母屋受材１６に形成したが、支柱１２に形成してもよい。同様に、支柱１４と母屋受材１８とを固定するボルトＢ５を通す長孔１８Ａ、１８Ｂを母屋受材１６に形成したが、支柱１４に形成してもよい。
【００４４】
また、母屋受材１６と母屋取付金具２２との双方に長孔を形成したが必須ではなく、何れか一方のみでもよい。さらに、母屋受材１６と母屋取付金具２２とに長孔１６Ｃ、２２Ｃを形成し、母屋受材１８と母屋取付金具２４とに丸孔を形成したが、逆にしてもよい。
【符号の説明】
【００４５】
１  太陽電池パネル、１０  架台、１２  支柱、１２Ａ  壁部、１４  支柱、１４Ａ  壁部、１６  母屋受材（第一の受材）、１６Ａ〜Ｃ  長孔、１６Ｆ  フランジ、１６Ｗ  ウェブ、１８  母屋受材（第二の受材）、１８Ａ、１８Ｂ  長孔、１８Ｆ  フランジ、１８Ｗ  ウェブ、２０  母屋（パネル取付部材）、２０Ａ  縦片、２０Ｂ  横片、２２  母屋取付金具（第一の接続部材）、２２Ａ  横片、２２Ｂ  縦片、２２Ｃ、２２Ｄ  長孔、２４  母屋取付金具（第二の接続部材）、２４Ａ  横片、２４Ｂ  縦片、２４Ｃ  長孔、３０  調整機構、３２  ボルト、３２Ａ  ネジ部、３４、３６  ナット
【図１】
2014105467.tif 000003
【図２】
2014105467.tif 000004
【図３】
2014105467.tif 000005
【図４】
2014105467.tif 000006
【図５】
2014105467.tif 000007
【図６】
2014105467.tif 000008
【図７】
2014105467.tif 000009
【図８】
2014105467.tif 000010
【図９】
2014105467.tif 000011
【図１０】
2014105467.tif 000012
【図１１】
2014105467.tif 000013
【図１２】
2014105467.tif 000014